(57)【要約】【課題】  プラズマディスプレイパネルを提供する。【解決手段】  上側基板６０、上側基板６０に対して平行に配置された下側基板１０、下側基板１０上に一方向に延びて形成された第１放電電極１２０、第１放電電極１２０を覆う誘電体層３０、上側基板６０と下側基板１０との間に配置され、上側基板６０及び下側基板１０と共に複数の放電セル１２６を限定し、誘電体より形成された隔壁、隔壁内に配置され、第１放電電極１２０と交差して延びた第２放電電極１８１，１８２，１８３、放電セル１２６内に配置された蛍光体層５０ｒ，５０ｇ，５０ｂ、及び放電セル１２６内にある放電ガスを含むプラズマディスプレイパネル。【選択図】            図２
2005347248.tif 000002
【特許請求の範囲】
【請求項１】
上側基板と、
前記上側基板に対して平行に配置された下側基板と、
前記下側基板上に一方向に延びるように形成された第１放電電極と、
前記第１放電電極を覆う誘電体層と、
前記上側基板と下側基板との間に配置され、前記上側基板及び下側基板と共に複数の放電セルを限定し、誘電体より形成された隔壁と、
前記隔壁内に配置され、前記第１放電電極と交差して延びた第２放電電極と、
前記放電セル内に配置された蛍光体層と、
前記放電セル内にある放電ガスと、を含むプラズマディスプレイパネル。
【請求項２】
前記隔壁は、前記上側基板の下面に形成され、前記第２放電電極が内部に配置された上側隔壁と、前記誘電体層上に形成され、蛍光体層に形成される領域を区画する下側隔壁と、を備えることを特徴とする請求項１に記載のプラズマディスプレイパネル。
【請求項３】
前記第２放電電極は、はしご形状を有することを特徴とする請求項１に記載のプラズマディスプレイパネル。
【請求項４】
前記第２放電電極は、放電セルが配列されたプラズマディスプレイパネルの全面にわたって複数個が一定の間隔で並んで配置されることを特徴とする請求項１に記載のプラズマディスプレイパネル。
【請求項５】
前記下側隔壁と上側隔壁とは、実質的に互いに同じ閉鎖型パターンで形成されたことを特徴とする請求項２に記載のプラズマディスプレイパネル。
【請求項６】
前記蛍光体層は、前記下側隔壁の側面と前記誘電体層の上面とに形成されたことを特徴とする請求項１に記載のプラズマディスプレイパネル。
【請求項７】
前記蛍光体層は、前記放電セルの上側で前記上側基板の底面と前記上側隔壁の一部とに形成されたことを特徴とする請求項１に記載のプラズマディスプレイパネル。
【請求項８】
前記蛍光体層は、前記放電セルの上側で前記上側基板の底面と前記上側隔壁の一部、前記放電セルの下側で前記下側誘電層と前記下側隔壁とに形成されたことを特徴とする請求項１に記載のプラズマディスプレイパネル。
【請求項９】
前記第１放電電極は、前記放電セルの長手方向に延び、前記放電セルの中央に配置されたことを特徴とする請求項３に記載のプラズマディスプレイパネル。
【請求項１０】
前記隔壁の側面のうち少なくとも蛍光体層によって覆われていない部分は、ＭｇＯ膜によって覆われたことを特徴とする請求項１に記載のプラズマディスプレイパネル。
【発明の詳細な説明】
【技術分野】
【０００１】
本発明は、プラズマディスプレイ装置に使われるプラズマディスプレイパネル（ＰＤＰ）に係り、さらに詳細には、開口率を大きくし、輝度と発光効率とを向上させたＰＤＰに関する。
【背景技術】
【０００２】
図１には、特許文献１に開示された従来のＰＤＰの部分分解斜視図が示されている。
【０００３】
図１に示されたように、従来のＰＤＰは、上部パネル１と下部パネル２とが結合され、上部パネル１と下部パネル２とによって限定される空間に放電ガスが充填されて作られる。前記上部パネル１は、上側基板６０、前記上側基板６０の下面６０ａに形成されたＹ電極８３及びＸ電極８２を備えた維持放電電極対８４、及び前記維持放電電極対８４を覆っている上側誘電層８０を備える。前記上側誘電層８０は、通常、ＭｇＯより形成される保護層９０によって覆われることが望ましい。一方、前記Ｙ電極８３は、ＩＴＯより形成される第１透明電極８３ｂ及び前記第１透明電極８３ｂの電圧降下を防止する第１バス電極８３ａを備え、前記Ｘ電極８２もＹ電極８３と同様に第２透明電極８２ｂ及び第２バス電極８２ａを備える。
【０００４】
前記下部パネル２は、下側基板１０、前記下側基板１０の上面に前記維持放電電極対８４と交差して形成されたアドレス電極２０、前記アドレス電極２０を覆っている下側誘電層３０、前記下側誘電層３０上に形成されて前記維持放電電極対８４と共に放電セルを限定する隔壁４０、前記放電セルの内面に塗布された蛍光体層５０ｒ，５０ｇ，５０ｂを備える。
【０００５】
このような構造を有する従来のＰＤＰの場合、前記アドレス電極２０とＹ電極８３との間のアドレス放電によって発光される放電セルが選択され、前記選択された放電セルのＸ電極８２とＹ電極８３との間に生じる維持放電によって、その放電セルが発光する。さらに具体的に説明すれば、前記維持放電によって放電セル内にある放電ガスが紫外線を放出し、この紫外線は、蛍光体層５０ｒ，５０ｇ，５０ｂが可視光線を放出するようにする。前記蛍光体層５０ｒ，５０ｇ，５０ｂから放出された光がＰＤＰの画像を具現する。
【０００６】
ＰＤＰの発光効率を高めるための条件には、色々なものがある。その条件のうち、重要なものとしては、前記放電ガスを励起させるための維持放電が生じる空間の体積が大きくなければならず、蛍光体層から放出される可視光線がＰＤＰの前方に進むことを妨害する構成要素が少なくなければならないというものである。
【０００７】
しかし、前記のような構造を有するＰＤＰの場合には、維持放電が保護膜９０に隣接したＸ電極８２とＹ電極８３との間の空間でのみ生じるので、維持放電が生じる空間の体積が小さく、蛍光体層５０ｒ，５０ｇ，５０ｂから放出される可視光線の一部が保護膜９０、上側誘電体層８０、透明電極８２ｂ，８３ｂ、及びバス電極８２ａ，８３ａによって吸収及び／または反射されるという短所がある。すなわち、前記上側基板６０を通過する可視光線の量が前記蛍光体層５０ｒ，５０ｇ，５０ｂから放出された可視光線の量の６０％ほどしかならない。
【特許文献１】特開１９９７−１７２４４２号公報
【発明の開示】
【発明が解決しようとする課題】
【０００８】
本発明は、前記問題点を解決するためのものであって、本発明が解決しようとする目的は、開口率が大きくなり、輝度と発光効率とが向上したＰＤＰを提供することである。
【課題を解決するための手段】
【０００９】
前記目的を解決するために、上側基板、前記上側基板に対して平行に配置された下側基板、前記下側基板上に一方向に延びて形成された第１放電電極、前記第１放電電極を覆う誘電体層、前記上側基板と下側基板との間に配置され、前記上側基板及び下側基板と共に複数の放電セルを限定し、誘電体より形成された隔壁、前記隔壁内に配置され、前記第１放電電極と交差して延びた第２放電電極、前記放電セル内に配置された蛍光体層、及び前記放電セル内にある放電ガスを含むＰＤＰが提供される。
【００１０】
ここで、前記隔壁は、前記上側基板の下面に形成され、前記第２放電電極が内部に配置された上側隔壁及び前記誘電体層上に形成され、蛍光体層に形成される領域を区画する下側隔壁を備えることが望ましい。
【００１１】
ここで、前記第２放電電極は、はしご形状を有することが望ましく、また、前記第２放電電極は、放電セルが配列されたＰＤＰの全面にわたって複数個が一定の間隔で並んで配置されることが望ましい。
【００１２】
ここで、前記下側隔壁と上側隔壁とは、実質的に互いに同じ閉鎖型パターンで形成されたことが望ましい。
【００１３】
ここで、前記蛍光体層は、放電セルの下側で前記下側隔壁の側面と前記誘電体層の上面とに形成されるか、放電セルの上側で前記上側隔壁の一部と前記上側基板の底面とに形成されるか、または放電セルの上下側にいずれも形成されうる。
【００１４】
ここで、前記隔壁の側面のうち少なくとも蛍光体層によって覆われていない部分は、ＭｇＯ膜によって覆われたことが望ましい。
【００１５】
ここで、前記第１放電電極は、前記放電セルの長手方向に延び、前記放電セルの中央に配置されたことが望ましい。
【発明の効果】
【００１６】
本発明によれば、維持放電が９０°方向に生じて、従来に比べて、放電開始電圧が低くなる。
【００１７】
また、本発明によれば、前面基板方向の電極の位置が隔壁内に位置するので、従来の３電極面放電ＰＤＰと比較して、可視光線の進路を妨害する構成要素が減って、開口率が大きく向上し、これにより、全般的にＰＤＰの輝度が向上する。
【００１８】
そして、単位放電セルを基準として隔壁に沿って４方向に放電が生じるので、放電体積が増加して、可視光線の発生量が従来の３電極面放電ＰＤＰに比べて多くなり、結果的に輝度がさらに向上する。
【発明を実施するための最良の形態】
【００１９】
次いで、添付された図面を参照して、本発明の実施例を詳細に説明する。従来の技術で説明した部材と同じ部材については、以下で、本発明の実施例を説明するのにおいても同じ部材番号を使用する。
【００２０】
図２には、本発明によるＰＤＰの部分分解斜視図が示されている。
【００２１】
図２に示されたように、本発明によるＰＤＰは、上側基板６０、下側基板１０、第１放電電極１２０、誘電層３０、隔壁、第２放電電極１８１，１８２，１８３、及び蛍光体層５０ｒ，５０ｇ，５０ｂを備える。
【００２２】
前記上側基板６０は、放電セル内で発生した可視光線が反射されるか、または吸収されず、前方に進むように透明体より構成される。前記下側基板１０は、前記上側基板６０に対して平行に配置される。前記第１放電電極１２０は、前記下側基板１０上に一方向に延びるように形成される。前記誘電層３０は、絶縁破壊強度が高い素材より作られ、前記第１放電電極１２０を覆って前記第１放電電極を保護する。一方、前記誘電層は、光反射率の高い素材を使用することが放電セル内で発生した可視光線を前方に反射させることができて望ましい。
【００２３】
前記第２放電電極１８１，１８２，１８３は、前記隔壁内に配置され、前記第１放電電極１２０と交差して延びる。そして、組立てられた状態で、前記隔壁によって限定される空間、すなわち、放電セル内には、放電ガスが備えられる。
【００２４】
前記隔壁は、前記上側基板６０と下側基板１０との間に配置され、前記上側基板６０及び下側基板１０と共に複数の放電セル１２６を限定し、誘電体より形成される。また、前記隔壁は、前記上側基板６０の下面６０ａに形成され、前記第２放電電極１８１，１８２，１８３が内部に配置された上側隔壁１８０と、前記誘電体層３０上に形成され、蛍光体層５０ｒ，５０ｇ，５０ｂが形成される領域を区画する下側隔壁４０とに分けられうる。しかし、一体型に形成されることも可能である。
【００２５】
前記上側隔壁内に第２放電電極に配置されるため、放電セル内で発生した可視光線がＰＤＰの前方に進むことを放電電極が妨害せず、これにより、蛍光体層から放出された可視光線の８０％以上が透明体より形成された前記上側基板を通過できるようになる。
【００２６】
前記下側隔壁４０と前記上側隔壁１８０とは、格子状の同じ閉鎖型パターンで形成されうる。前記上下隔壁を分離せず、一体に製作しようとする場合には、このような閉鎖型パターンで製作することが有利である。しかし、本発明は、図２に示されたような閉鎖型パターンに対してのみ適用可能なものではなく、従来の技術を説明する図１に示されたようなストライプ型（または、開放型）パターンで形成されることもある。この場合には、放電ガスを注入する前に製造工程で発生したガスを取り出すことが容易であるという製作上の長所がある。
【００２７】
前記蛍光体層５０ｒ，５０ｇ，５０ｂは、放電セル１２６内に配置され、放電を通じて生じた真空紫外線を受けて、それぞれ赤色、緑色、青色の可視光線を放出する。特に、前記蛍光体層５０ｒ，５０ｇ，５０ｂは、前記下側隔壁４０の側面と前記誘電体層３０の上面とに形成される。前記上側隔壁１８０の側面のうち、蛍光体層によって覆われていない部分は、保護膜１９０によって覆われる。前記隔壁の一部分、望ましくは、上部隔壁１８０の側面部分を保護膜１９０より覆うことは、ＰＤＰ作動中にイオン衝突から誘電体より形成された上部隔壁１８０を保護し、放電中の２次電子放出による放電電圧の低下を防止するためのことである。このような目的のために、前記保護膜１９０は、ＭｇＯより作られることが望ましい。
【００２８】
図３には、本発明によるＰＤＰが備える放電電極の斜視図が示されている。
【００２９】
図３に示されたように、前記第２放電電極１８１，１８２，１８３は、はしごはしご形状を有し、前記放電セル１２６が配列されたＰＤＰの全面にわたって複数個が一定の間隔ｄで並んで配置されることが望ましい。もちろん、前記第２放電電極１８１，１８２，１８３の形状は、これに限定されるものではない。すなわち、長手方向に一直線で平行に配列された形状であっても可能である。但し、前記第２放電電極１８１，１８２，１８３がはしご形状を有しつつ、前記放電セル１２６を取り囲むことが放電体積を大きくできてさらに望ましい。
【００３０】
前記第２放電電極１８１，１８２，１８３がはしご形状を有し、前記放電セル１２６を取り囲んで配置されるため、前記第１放電電極１２０との関係で、前記放電セル１２６の４面で放電が可能になる。これにより、放電が生じる体積が大きくなり、ＰＤＰの輝度が向上する。
【００３１】
前記第１放電電極１２０は、前記放電セル１２６の下部で前記放電セル１２６の長手方向に延びる。このとき、前記第１放電電極１２０は、前記放電セル１２６内で対面する第２放電電極１８１，１８２，１８３の部分間に放電が均一に生じるように、前記放電セル１２６の中央に配置されることが望ましい。但し、中央に配置されるものと限定されず、必要に応じて、一側に偏って配置されうる。
【００３２】
次に、以上のように構成された本発明によるＰＤＰが作動する方式について説明する。
【００３３】
図４には、図２のＩＶから見た断面図が示されており、図５には、図２のＶから見た断面図が示されている。
【００３４】
図４及び図５に示されたように、本発明によるＰＤＰでは、前記第２放電電極１８１，１８２，１８３がスキャン機能及び維持放電機能を行い、前記第１放電電極１２０がアドレス機能及び維持放電機能を行う。前記第２放電電極１８１，１８２，１８３に印加されるスキャン信号と第１放電電極１２０に印加される信号とによって放電が生じる放電セルが選択され、選択された放電セル内で第１放電電極と第２放電電極との間に矢印で表示された方向に維持放電が生じる。
【００３５】
図４で、前記放電セル１２６の幅方向に離隔されて配置されたものと示され、互いに対面する位置にある第２放電電極の部分１８３ｃ，１８３ｄは、図３の斜視図に示されたように、互いに連結されている第２放電電極１８３の一部分である。したがって、この部分１８３ｃ，１８３ｄには、同じ電圧が印加されるため、その間では放電が生じない。このように、一つの単位放電セルを基準として考える時、互いに対面する位置にある電極１８３ｃ及び１８３ｄ間には、互いに放電が生じず、互いに９０°の位置にある第１放電電極１２０と第２放電電極１８３ｃ及び１８３ｄとの間にのみ放電が生じる。この場合、従来の３電極面放電ＰＤＰで、互いに１８０°の位置にある電極間に放電が生じる場合と比較して、放電開始電圧が低くなる。
【００３６】
また、本発明によれば、上側基板６０方向に位置する第２放電電極１８１，１８２，１８３の位置が上側隔壁１８０内に位置する。従来の３電極面放電ＰＤＰでは、放電セルを横切って配置される維持放電電極対が存在して可視光線の進路を妨害したが、本発明のかかる構成によれば、可視光線の進路を妨害する放電電極が隔壁内に位置して開口率が大きく向上し、これにより、輝度が向上する。
【００３７】
また、本発明によれば、単位放電セルを基準として隔壁に沿って４方向に放電が生じるので、結果的に、可視光線の発生量が従来の３電極面放電方式のＰＤＰに比べて多くなる。
【００３８】
図３及び図５に示されたように、隣接した第２放電電極１８１，１８２，１８３は、一定の間隔ｄで同じ上側隔壁１８０内で配置される。前記上側隔壁１８０の素材が誘電体であるため、間隔ｄが過度に狭い場合、隣接した第２放電電極間で電力損失や誤作動が発生しうる。したがって、過度な電力損失と誤作動とを避けられるほどに十分な間隔を維持するように配置することが望ましい。
【００３９】
図６及び図７には、本発明の他の実施例を示す図面が示されている。
【００４０】
図６及び図７に示されたように、蛍光体層１５０ｒ，１５０ｇ，１５０ｂは、上側基板６０の底面と上側隔壁１８０の一部分とに形成されうる。この場合、本発明によるＰＤＰは、図２ないし図５に示された反射型ＰＤＰと違って透過型ＰＤＰとなる。
【００４１】
図８及び図９には、本発明のさらに他の実施例を示す図面が示されている。
【００４２】
図８及び図９に示されたように、蛍光体層１５０ｒ，１５０ｇ，１５０ｂは、下側隔壁４０の側面と下側誘電層３０の上面とに形成され、同時に上側基板６０の底面と上側隔壁１８０の一部分とに形成されうる。このように蛍光体層１５０ｒ，１５０ｇ，１５０ｂの表面積が増大する場合、ＰＤＰの輝度を高めることができて望ましい。
【００４３】
本発明は、図面に示された実施例を参考として説明されたが、これは、例示的なものに過ぎず、当業者ならば、これから多様な変形及び均等な他の実施例が可能であるということが分かる。したがって、本発明の真の技術的保護範囲は、特許請求の範囲の技術的思想によって決定されねばならない。
【産業上の利用可能性】
【００４４】
本発明は放電開始電圧が低くなり、開口率が向上し、輝度が上昇して、高い効率で画像を表現できて、大面積ディスプレイ装置を構成するＰＤＰに利用されうる。
【図面の簡単な説明】
【００４５】
【図１】従来のＰＤＰの部分切開分離斜視図である。
【図２】本発明によるＰＤＰの部分分解斜視図である。
【図３】本発明によるＰＤＰが備える放電電極の部分斜視図である。
【図４】図２のＩＶから見た断面図である。
【図５】図２のＶから見た断面図である。
【図６】本発明の他の実施例を示す断面図である。
【図７】本発明の他の実施例を示す断面図である。
【図８】本発明のさらに他の実施例を示す断面図である。
【図９】本発明のさらに他の実施例を示す断面図である。
【符号の説明】
【００４６】
１０…下側基板、
３０…下側誘電層、
４０…隔壁、
５０ｒ，５０ｇ，５０ｂ…蛍光体層、
６０…上側基板、
６０ａ…下面、
１２０…第１放電電極、
１２６…放電セル、
１８０…上側隔壁、
１８１，１８２，１８３…第２放電電極、
１８１ａ，１８２ａ，１８３ａ，１８１ｂ，１８２ｃ，１８３ｄ…放電電極の部分、
１９０…保護膜。
【図１】
2005347248.tif 000003
【図２】
2005347248.tif 000004
【図３】
2005347248.tif 000005
【図４】
2005347248.tif 000006
【図５】
2005347248.tif 000007
【図６】
2005347248.tif 000008
【図７】
2005347248.tif 000009
【図８】
2005347248.tif 000010
【図９】
2005347248.tif 000011